(57)【特許請求の範囲】
【請求項１】
前壁と、２以上の控壁と、背面壁と、底板とを備え、前壁の前面から前方に突出する突出部を備え、該突出部内に上端開放の植生材料収納空間を設け、該空間の下端は、植物の根が下段ブロックの控部の胴込材まで伸張可能な構造とした擁壁ブロックにおいて、背面壁の上面に突起を設け、底板に該突起が嵌合するスリット状の孔から成る嵌合部を備え、該ブロックを上下に積載したとき下側ブロックの前記突起と上側ブロックの前記嵌合部とが嵌合した状態で上段ブロックの前記突出部と下段ブロックの前壁背面との間に隙間を有する形状としたことを特徴とする擁壁ブロック。
【請求項２】
前記突起は円柱状、円錐状、長円錐状、多角柱状又は多角錐状であることを特徴とする請求項１記載の擁壁ブロック。
【請求項３】
前記ブロックは高さ４０〜６０ｃｍ、幅８０〜１２０ｃｍであることを特徴とする請求項１又は２記載の擁壁ブロック。
【請求項４】
前記ブロックがポーラスコンクリートからなることを特徴とする請求項１〜３のいずれかに記載の擁壁ブロック。
【発明の詳細な説明】
【０００１】
【発明の属する技術分野】
本発明は、勾配が１：１（１割勾配）よりも急な護岸、道路擁壁、宅地造成地等の法面に擁壁として使用される環境保全型擁壁ブロックに関する。
【０００２】
【従来の技術】
従来の急勾配の法面保護擁壁ブロックでは、法面に植生を施しても植物の成長が不十分であり、日照りが続くと、植物が萎えたり枯死することがある。これを防止する技術として、本発明者らは、植物が十分に成長することが可能で、植物が萎えたり枯死したりする恐れがなく、壁面全体の緑化が可能な環境保全型の擁壁ブロックを開発している（特願２０００−１４１４７７号）。その技術は、前壁と２以上の控壁とからなる擁壁ブロックであって、前壁の前面から前方に突出する突出部を備え、この突出部内に上端開放の植生材料収納空間を設け、この空間の下端は、植物の根が下段ブロックの控部の胴込材まで伸張可能な構造とした擁壁ブロックである。
【０００３】
このような擁壁ブロックは、法面に施工したとき、前壁の突出部下端を下段ブロックの控部の胴込材に接するようにし、植生材収納部の下端に開口を設けて開放状態とすることにより、植物の根は、植生材収納部から下段ブロックの胴込材にまで伸びていくことができる。擁壁ブロックがポーラスコンクリートで製造されている場合は必ずしも開口を設ける必要はない。ポーラスコンクリートの空隙を植物の根が通過するためである。日照り等が続いても、胴込材は乾燥しにくいので、植物は水分の供給を受けることができ、萎えたり、枯死したりすることがない。胴込材として、工事前の法面表土などの現地発生土を使用すると、養分が豊富で郷土種の種子等が含まれているので、植物の旺盛な生長が可能になる。
【０００４】
このブロックは擁壁の前面が平面視で直線の場合、ブロックを千鳥配列に積重して強固な擁壁を形成することができる。しかし、擁壁の前面が平面視で曲線となる曲面施工の場合には、上記植生材料収納空間の下端の中央または両端部が下段ブロックの前壁と干渉して、千鳥配列に積重することができない。従って、擁壁の前面が平面視で曲線となる曲面施工の場合、千鳥配列ではなく、碁盤目配列に積重し、縦各列ブロックの控壁の側面に、鉛直方向に長い凹溝状の切り込みを設けてこの切り込みにパネルを挿入して法面を形成するようにしている。この凹溝内に挿入するパネルは、コンクリート板、セメント製押出成形板、樹脂板、木板、鋼板等を用いる。すなわち、このブロックは曲面施工では、水平方向に隣接するブロック同士の間隔が緊密に結合されていない。
【０００５】
【発明が解決しようとする課題】
つまり、上記従来の法面保護擁壁ブロックの構造では、法面が平面視で曲線となる施工部では、所定の法勾配を確保するためには千鳥配置で積重することはできず、碁盤目配列に直積みせざるを得ない。直積みは、横方向同士のブロックの一体性が十分ではないため、壁体としての安定性に劣るという問題点がある。本発明は、上記従来の法面保護擁壁ブロックに改善を加え、平面視で曲線となる法面の施工においても、所定の法勾配を確保しつつ連結パネル等を使用することなく、干鳥配置で積重することができるブロックを提供することを目的とする。
【０００６】
【課題を解決するための手段】
本発明は、上記問題点を解決するためになされたもので、前壁と、２以上の控壁と、背面壁と、底板とを備え、前壁の前面から前方に突出する突出部を備え、該突出部内に上端開放の植生材料収納空間を設け、該空間の下端は、植物の根が下段ブロックの控部の胴込材まで伸張可能な構造とした擁壁ブロックにおいて、背面壁の上面に突起を設け、底板に該突起が嵌合するスリット状の孔から成る嵌合部を備え、該ブロックを上下に積載したとき下側ブロックの前記突起と上側ブロックの前記嵌合部とが嵌合した状態で上段ブロックの前記突出部と下段ブロックの前壁背面との間に隙間を有する形状としたことを特徴とする擁壁ブロックである。
【０００７】
前記突起は円柱状、円錐状、長円錐状、多角柱状又は多角錐状などとすればよく、前記ブロックは高さ４０〜６０ｃｍ、幅８０〜１２０ｃｍであり、前記ブロックをポーラスコンクリートで構成すると、▲１▼水の浸透性がよく植生が容易である、▲２▼植物の根がコンクリートに進入する、▲３▼空隙空間が小生物の生息空間となるため環境保全に役立つ、▲４▼水質浄化作用がある、などのメリットがある。
【０００８】
【発明の実施の形態】
以下図面を参照して本発明の実施の形態を説明する。本発明の擁壁ブロックは図１５、図１６、図１７に示す擁壁ブロック１００の改善に関するものである。この擁壁ブロック１００は、前壁１０１と、２以上（この例では３個）の控壁１０２と、背面壁１０３を備えている。場合により底板を備えている。前壁１０１の前面から前方に突出する突出部１０４を備え、突出部１０４内に上端開放の植生材料収納空間１０５を設けている。この植生材料収納空間１０５の下端１０６は、図１７に示すように植物１１０の根１１３が下段ブロック１１０ａの控部の胴込材まで伸張可能な構造とするため開口した場合である。この擁壁ブロック１００は急勾配の法面に積重したとき、植物１１０が下方のブロック１００ａの胴込材中に根１１３を深く延ばすことができる。従って日照りが続いても植物が枯死することなく擁壁面に葉１１２の緑を保つことができ、環境ブロックとして優れている。
【０００９】
しかしながら、この擁壁ブロック１００ａ、１００ｂ、１００ｃを、図１４に正面図を示すように、千鳥配列に積重して法面を保護することは、法面が平面視で直線の場合は適切であるが、例えば図１５に示すように、法面が平面視で曲線である場合（図１５では内カーブである）、ブロック１００の中央部下端１０８が下方のブロック１００ａの前壁と干渉し、ブロック積みが不都合となる。このため、従来、この図１５に示すブロックは法面が曲面のときは図１４に示すような千鳥形に配列することはできなかった。そこで平面視で曲面をなす法面では、碁盤目状に直列に積重し、縦一列のブロックごとに縦につなぐパネルをブロック側部の溝内に添着させるようにしていた。このため、曲面をなす法面では、擁壁ブロック１００の水平方向の連結を強固にすることができなかった。
【００１０】
本発明はこれを改善するために図１〜図４に示すような改善を施した。図１は実施例の擁壁ブロック１０の側面図、図２はその平面図、図３は２段重ねした状態を示す側面図、図４は単体の三面図である。
【００１１】
実施例の擁壁ブロック１０は、前壁１１と、２以上の控壁１２と、背面壁１３と、底板２２とを備え、前壁１１の前面から前方に突出する突出部１４を備え、この突出部１４内に上端開放の植生材料収納空間１５を設け、この空間１５の下端は、植物の根が下段ブロックの控部の胴込材まで伸張可能な構造とした擁壁ブロックから成るものである。その改善点は、まず、背面壁１３の上面に突起２１を設けた。また底板２２を設け、底板２２にはブロックを上下に重ねたとき底板２２の一部に下段ブロックの突起２１と嵌合するスリット状の開口部２３を設けた。突起２１と開口部２３とを嵌合させたとき、突出部１４の前面下端と下段ブロックの前壁１１との間に隙間１７ができるブロック形状とする（図３参照）。ブロックの高さは４０〜６０ｃｍの範囲、幅は８０〜１２０ｃｍの範囲とすると好適である。
【００１２】
突起２１の形状は、円柱状、截頭円錐状、截頭長円錐（軸直交断面が長円である錐体）状、多角柱状、截頭多角錐状などとすればよい。図５はこれらの突起２１の形状を例示したものである。図５では、平面図と側面図の２面図を示している。図５（ａ）は截頭円錐体２１ａ、（ｂ）は截頭４角錐体（オベリスク）２１ｂ、（ｃ）は截頭６角錐体２１ｃを、（ｄ）は截頭長円錐体２１ｄを例示してある。種々の曲線の法面形状に対応させることができるように融通性を付与した突起形状としては、載頭直円錐が好ましい。円錐形の突起は嵌り込むスリット状の開口部の内面に接触する可能性が小さく、施工が容易である。突起２１の底面積の大きさは、せん断抵抗力の大きさに対応するため、過剰設計とならない範囲で可能な限り大きくすることが望ましい。
【００１３】
突起２１の設置位置は、ブロックの前後方向については、背面壁１３の内面に近くとする。背面壁１３の上面後方は上ブロックの背面壁の下面が積み重なることから、幅２ｃｍ以上の重なり部２４があることが好ましい。また、突起２１は上のブロックの底面に設けたスリット状の開口部２３に嵌り込む位置に設置する。スリット状の開口部２３は控壁と控壁との間に横長に設ける。
【００１４】
この擁壁ブロックを千鳥配列に積重すると、左右の突起２１はその上段ブロックのスリット状の開口部２３に嵌り込む、従って、図２に示すように、突起２１のブロック横方向の設置範囲Ｂ3は、製品ブロック１０の幅の半分の寸法からセンターライン側の部分Ｂ1を除き、製品ブロック１０の側面側の部分Ｂ2を除いた範囲となる。ここで範囲Ｂ3は、突起２１がその中に設置されるべき範囲である。上記寸法Ｂ1は、図２に示すように、製品ブロック１０の側面からスリット状の開口部２３の外側端までの距離である。また、上記寸法Ｂ2は、図２に示すように、製品ブロック１０のセンターラインからスリット状の開口部２３の内側端までの距離である。突起２１が上記配設範囲Ｂ3からはみ出して配置されると、平面視で直線施工部においてブロックを千鳥配列に積重することが不可能となる。平面視で直線施工部で上下に千鳥配列したブロックの突起２１とスリット２３とのはまり込みを示す図６を参照するとこのことが明確である。
【００１５】
以上説明した突起２１、スリット状の開口部２３、前壁１１の設定により本発明の擁壁ブロック１０は、平面視で施工半径２０ｍ程度までの曲線形の法面に適応可能となる。
【００１６】
図７、図８は上記条件の擁壁ブロック１０で、製品幅を１ｍとした場合を、平面視で内カーブの曲線をなす法面に適用した場合のそれぞれ１０段目、１段目の平面図である。図８は内カーブの曲率半径Ｒが２０ｍである１段目のブロック１０ａ、１０ｂを２段重ねた平面図であり、図７では１０段目の内カーブの曲率半径Ｒが２２．０１２ｍとなっている。図７は９段目と１０段目のブロック１０ｍ、１０ｎを示している。図９、図１０は、外カーブの例を示しており、図１０は外カーブの曲率半径Ｒが２０ｍ、図９は１０段目の外カーブの曲率半径Ｒが１７．９８４ｍとなっている。
【００１７】
図１１は本発明に係る擁壁ブロックの別の実施例を示す積重状態の平面図である。本発明のブロックは法面の条件等に応じて隣接ブロック１０の控壁１２相互間に隙間１６を生ずることがある。この場合、例えば、擁壁ブロック１０が護岸ブロック等である場合、洪水等の際にこの隙間１６に埋立てた土砂を流水が吸い出してしまうおそれがある。これを防止するために、図１１に示すブロック１０では、前壁１１を控壁１２の側面より横方向に張出して張出し部１８を設け、前壁１１の張出し部１８と控壁１２の側面との段差部分に土壌流出防止材１９を挿入する。これによって、曲線施工で生じる隣接ブロック相互間の隙間１６の段差の部分に、例えば、化学繊維などを材質とする土壌流出防止材１９を挿入すれば、土壌流出防止材１９の背面の隙間１６に埋戻された土砂が吸い出されることがなく、その流失を防止することができる。
【００１８】
なお、土壌流出防止材１９は、水を通し、土砂を通さない材質で、隙間１６に埋め立てた土砂による土圧に耐えられる強さを有している必要がある。また、施工半径や積み重ねたブロックの高さ方向の位置によって隙間１６の大きさが変化することから、これへの対応を容易にするとともに土壌流出防止材の幅寸法の種類を少なくするため、土壌流出防止材１９は幅方向に適度の圧縮変形が可能なものが望ましい。
図１２はポーラスコンクリートからなる実施例のブロック１０を示す側面図である。ポーラスコンクリートを用いたブロックでは植生材料収納空間１５の下端は開口させなくてもよい。ポーラスコンクリートの空隙を通って植物の根が下方のブロックの胴込材まで進入するためである。
【００１９】
スリット状の開口部７の形状は、開口の奥行き長さを突起６の底面の大きさよりも大きくし、底板５の底面の幅で開口した長方形とすることによって、曲線施工部の干鳥積み配置で施工半径の大きさによって変化する突起２１の位置にフレキシブルに対応できるので好ましい。図１３は実施例のブロック１０ａ、１０ｂ、１０ｃを積重した状態の側面図で上ブロックの前面突出部１４と下ブロックの前壁１１の背面との間に隙間１７を設けることによって、この隙間１７の部分に植物１１０が生育し、根１１３が下方のブロックに伸張し、ブロック前面全面を緑化することが可能になることを示している。
【００２０】
【発明の効果】
本発明によれば、所定の法勾配を確保しつつ、平面視で曲面の法面に、急勾配の緑化擁壁ブロックを千鳥積みすることが可能となった。そして、上下ブロックの嵌合が可能であり、横に隣接するブロックの結合も強固となり、壁体の安定性が向上する。実用上必要な曲面法面の施工半径を確保し、かつ、施工効率をも確保することができるようになった。
【図面の簡単な説明】
【図１】実施例の側面図である。
【図２】実施例の平面図である。
【図３】実施例の２段積みを示す側面図である。
【図４】実施例の三面図である。
【図５】突起の例を示す説明図である。
【図６】千鳥積みした平面視で直線施工の実施例の平面図である。
【図７】内カーブの千鳥積みした実施例の１０段目のブロックの平面図である。
【図８】内カーブの千鳥積みした実施例の１段目のブロックの平面図である。
【図９】外カーブの千鳥積みした実施例の１０段目のブロックの平面図である。
【図１０】外カーブの千鳥積みした実施例の１段目のブロックの平面図である。
【図１１】他の実施例を示す平面図である。
【図１２】ポーラスコンクリートから成る実施例の側面図である。
【図１３】実施例のブロック積みを説明する側面図である。
【図１４】千鳥配列ののブロック積み法面の正面図である。
【図１５】従来のブロックの千鳥配列したブロック積みの平面図である。
【図１６】従来のブロックの側面図である。
【図１７】従来のブロックの使用状態を示す側面図である。
【符号の説明】
１０    擁壁ブロック
１１    前壁
１２    控壁
１３    背面壁
１４    突出部
１５    植生材料収納空間
１６    隙間
１７    隙間
１８    張り出し部
１９    土壌流出防止材
２１    突起
２２    底板
２３    開口部（スリット）
２４    重なり部
１００    擁壁ブロック
１０１    前壁
１０２    控壁
１０３    背面壁
１０４    突出部
１０５    植生材料収納空間
１０８    中央部下端
１１０    植物
１１２    葉
１１３    根
【図１】
0003655578.tif 000002
【図２】
0003655578.tif 000003
【図３】
0003655578.tif 000004
【図４】
0003655578.tif 000005
【図５】
0003655578.tif 000006
【図６】
0003655578.tif 000007
【図７】
0003655578.tif 000008
【図８】
0003655578.tif 000009
【図９】
0003655578.tif 000010
【図１０】
0003655578.tif 000011
【図１１】
0003655578.tif 000012
【図１２】
0003655578.tif 000013
【図１３】
0003655578.tif 000014
【図１４】
0003655578.tif 000015
【図１５】
0003655578.tif 000016
【図１６】
0003655578.tif 000017
【図１７】
0003655578.tif 000018